(57)【要約】      （修正有）【課題】低周波電子治療を治療院に来院することなく遠隔地において治療を施す事が出来る方法を提供する。【解決手段】所望する周波数の低周波電子を低周波電子発生装置１により送信信号化し、送信用アプリケーション２にて送信し、その電気信号化された低周波電子をスマートフォンやアイフォン、パーソナルコンプーター等の低周波電子受信装置３で遠隔地において受信して治療を行う。【選択図】図４
2019209094.tif 000002
【特許請求の範囲】
【請求項１】
異なる周波数を、順次予め設定した時間内において発信させ、且つ其の異なる各周波数はそれぞれ予め取り決めた時間内において発信、停止を数回繰り返し、一連の電気的周波数を付与することにより身体の治療を行う電子治療器において、其の電気信号を正弦波又はパルス波を遠隔地の受信者にアプリケーションにて送信し、被治療者である受信者はスマートフォン、アイフォン、パーソナルコンピューター等の受信機器によって受信し其の信号を、受信機器に接続した誘導線より体表面に貼り付けて装着した２枚のパットに送り、その２枚のパット間において所望する周波数の正弦は、又はパルス波を通電せしめて治療する遠隔低周波電子治療器。
【発明の詳細な説明】
【技術分野】
【０００１】  本発明は低周波治療器に関するものであり、さらに詳しくは低周波治療器において治療を施術する場合その治療を電話回線、もしくは無線通信の手段を用いて遠隔地より執り行う遠隔低周波治療方法に関するものである。
【背景技術】
【０００２】  低周波、または一部高周波を用いてその電子を体表面より体内に２枚のパットを用いて、該２枚のパット間に通電し低周波電子を飛ばして身体の異常部分を、正常状態に戻すべく治療する方法は以前よりいろいろ研究されてきた。【０００３】  そしてそれにもとずいて低周波電子を体内に照射し身体の異常部分、または異常状態を正常に戻す力があることも長年の実証実験で立証されてきた。【０００４】  因みに現在その効果があると思われる事項は次のようなことが考えられている。【０００５】  （１）低周波電子又はソフトエレクトロンと表現すると、このソフトエレクトロンを体内に照射すると、該ソフトエレクトロンの十字放射による複合波状攻撃によってウイルス細胞の外周膜即ち硬いクリスタルゴブレットを破壊して殺滅する。【０００６】  （２）生体組織細胞の改善を諮る効果が期待できる。これは疾患部分の組織伝導率の上昇性質を活用して電子を患部に集中的に通過させることによってウイルス、バクテリアを破壊、殺滅する。【０００７】  （３）低周波電子（ミクロ波動）を投射して痛み、炎症、膨張を改善することにより自律神経の機能の改善促進を諮る。【０００８】  （４）複合周波数を照射して膵臓のランゲルハウスのイオンチャンネルを作動させてインシュリンを分泌させ肝臓のグリコーゲンを全身に放出させ弱アルカリに変換させて酸性体質を健康の基本であるアルカリ体質化にする。【０００９】
【００１０】  （５）全身のコレステロール、過酸化脂質、活性酸素によって生成された付着老廃物等は超微振動によって粉砕され生体内の乳酸カルシウムの結晶、付着老廃物を粉砕させる。【００１１】  （６）生体内の内分泌腺を刺激し全身のホルモンの分泌を円滑に促進する。【００１２】  （７）ウイルスを破壊することによってウイルスと免疫細胞の互いの拮抗状態が変化して免疫細胞が急激に増加し生体免疫力を増大させる。【００１３】  （８）電子を生体に投射すると、良導体の中でも特に伝導率の高い、全身の経路（ツボ）を刺激して全身経路の深部に強烈なミクロ刺激を行い大きな自主再生の治療を行いうる。【００１４】  （９）脳神経細胞、自律神経、内分泌腺は電子の超微振動によって松果体から神経伝達物質が放出され、オキシトシンホルモン等の分泌が盛んになり脳細胞からアルファ―波が分泌されて病的生体細胞を蘇生させる。【００１５】  （１０）生体細胞を活性化させることで血液中のナトリウム、及びカルシウムのイオン化率が増加してこのマイナスイオンが生体を活性化させ組織細胞が強化される。【００１６】  （１１）人体が癌などの重篤な慢性病に罹った場合、組織細胞内のＨ２Ｏクラスターは徐々に大きく膨れ上がる。これに電子を投射すると即分解されて破壊消滅することで生体組織細胞内の病的クラスターを破壊消滅させる。【００１７】  以上のような電子による生体に対する治癒的効果が検証され、且つ我々もこれらを実施、実証することによって確認してきた。
【発明の概要】
【発明が解決しようとする課題】
【００１８】  従来これらの治療方法により患者を治療する場合、治療用電子を発生させて被治療者の患部にパット等によって電子を投射する時、その治療器が設置されている治療施設に出向いて行う必要があった。これは例えば遠隔地に住んでいる者や、肉体的に疲弊し治療施設に出向くのが困難な者等は大変不便であった。【００１９】  本発明はこれらの点に鑑み成したもので遠隔地においても自宅、保養施設等被治療者が望む場所において電子治療が執り行える事を課題とするものである。
【課題を解決するための手段】
【００２０】  この課題を解決するための請求項１の発明は、身体の治療しようとする部位又は身体の治療しようとする不具合な現象及び状況等に対して、投射しようとする所望の低周波電子を低周波電子発生装置より発生せしめ、その低周波電子を無線ラン（スマートフォンやアイパット）又はインターネットの有線ラインによるパーソナルコンプーターにより受信出来うる信号にアプリケーションとして変換し、被治療者は前記した受信器具によって受信し所望する身体の表面に貼ったパットにより受信より引導して治療に入る。【００２１】  この治療を行うにおいては、予め通信手段によってその治療部位や状況、状態等一度診察して確認し、次回より有線又は無線の通信手段を用いて低周波電子の投射による治療を執り行う。【００２２】  治療部位や不具合部位また不具合な現象等が数項に及ぶ場合は、一治療ごとに終了の確認をして順次通信手段によって情報交換、又治療指導を行い取り進める。
【発明の効果】
【００２３】  本発明により在宅治療を遠隔から行うことが可能となる。即ちこの電子治療は数回から場合によっては数十回の治療を受けなければならないが、本発明の方法の実施により患者が毎回通院することなく、自身の所望する場所にいながらにして治療を受ける事が出来る。前記した身体の不自由な者、又体力的に通院が困難な者に対して、その肉体的、精神的負担の軽減、又通院時間の削減、付き添者の負担軽減、費用の負担軽減等その効果は大きい。
【図面の簡単な説明】
【００２４】
【図１】  治療用パットの装着状態を示す概念図である。
【図２】  治療用パットの装着状態を示す他の概念図である。
【図３】  治療用パットの装着状態を示す他の概念図である。
【図４】  低周波電子の電波の遠隔地への送信方法の概念図である。
【発明を実施するための形態】
【００２５】  図１及び図２及び図３はそれぞれ被治療者が治療時に体表面に電子の付与を行うパットを貼着する位置の状況を示す概念図である。それぞれ図中のＡ及びＢは２組のパットの貼着位置を示し、各々Ａ，Ｂがそれぞれ対をなし作用する。
【００２６】  図４は被治療者の治療部位の状況、状態によってその改善のため所望する低周波数を組み合わせ低周波電子を発生させ、且つこれをアプリケーション装置によって遠隔地に送信する形態を表示した概念図である。図４中の１は異なる多種類の周波数電子を発信することができる装置であり、該装置より予め決められている異なる数種類の周波数の組み合わせの低周波電子を、アプリケーション装置２に入力するための低周波電子発生装置である。２は１の低周波電子発生器より送られてきた予め決められた低周波電子を、遠隔の決められた被治療者の受信装置に送信するアプリケーション装置である。
【００２７】  被治療者は送られてきた信号を図４の３で示すスマートフォン、アイフォン、又は有線によるインターネットを用いたパーソナルコンプーター等で受信し（本概念図はスマートフォンを表す図である。）それぞれの機種による出力端子より身体表面に貼着したパットに導き、低周波電子治療を遠隔的に執り行う。
これらの低周波電子の遠隔送信はそれぞれのアプリケーションの通信手段と効率的に組み合わせて実施する。
【００２８】  又スマートフォン等の電気容量の少ない機器を用いて治療する時治療に要する電力が不足する場合が生ずることを想定し、電力補助供給装置を設けて連続的に長時間治療することも可能である。
【実施例】
【００２９】  本発明の方法及び装置は基地局となる治療センターより治療しようとする被治療者の罹患部位、罹患状況、等の症状の修復を遠隔地より助長するように働き、場合によっては直接作用し身体的に有効な効果（例えばウイルスの殺滅、異常細胞の撲滅や破壊、細胞活性化等）を発揮する数種類の低周波の周波数の組み合わせを定め、その低周波電子を有線ランもしくは無線ランによって発信し、遠隔地より低周波電子治療を受けようとする被治療者のアプリケーション機器に送り受信させる。【００３０】  被治療者は基地局の発信装置２から送信された治療用低周波電子の複数の周波数の組み合わせより構成される電子エネルギーを受信装置３で受信し、身体の貼着したパット、図３の例で示せばパット４及び５間に引導して予め取り決めた低周波電子エネルギーを受け取り、体内に取り込むことによって所望する治療を執り行いうる。被治療者は送信されてくる治療用の低周波電子エネルギーをスマートフォン、やアイパットなどの電力容量の少ない機器をもって受信する場合は補助電源装置を設けて対応することもできる。【００３１】  また一方低周波電子受信専用の大きな電力容量のアプリケーション装置を製作してこのシステムに対応することも可能である。さらに発信局となる治療院の治療用低周波電子発生装置とその低周波電子を遠隔地に送信するアプリケーションによる発信装置とを一体として構成することも可能である。
【符号の説明】
【００３２】  １  低周波電子発生装置
２  低周波電子の送信のためのアプリケーション装置
３  低周波電子受信装置
４  パット
５  パット
【図１】
2019209094.tif 000003
【図２】
2019209094.tif 000004
【図３】
2019209094.tif 000005
【図４】
2019209094.tif 000006